【事件の表示】
　特願２００２−　１１７３２号「ＥＬパネル」拒絶査定不服審判事件〔平成１５年　７月３１日出願公開、特開２００３−２１７８５９号〕について、次のとおり審決する。
【結　論】
　本件審判の請求は、成り立たない。
【理　由】
１．手続の経緯
　
　本願は、平成１４年１月２１日の出願であって、平成１９年３月１９日付けで手続補正がなされた後、平成１９年７月３１日付けで拒絶査定がなされ、これに対して、平成１９年１１月５日に拒絶査定不服審判の請求がなされるとともに、平成１９年１２月５日付けで手続補正がなされたものである。
　
２．平成１９年１２月５日付けの手続補正（以下、「本件補正」という。）についての補正の却下の決定
　
［補正の却下の決定の結論］平成１９年１２月５日付けの手続補正を却下する。
［理由］
（１）本件補正後の本願発明
　本件補正により、特許請求の範囲の請求項１は、
「緑原色と、青原色を発光する２種類のＥＬ蛍光体薄膜により３原色表示を行うカラーＥＬパネルであって、
　前記２種類のＥＬ蛍光体薄膜とその２種類のＥＬ蛍光体薄膜を挟む一組の絶縁層とを有する積層体と、その積層体を挟む一組の電極と、色変換層と、を備え、
　前記一組の絶縁層の一方は厚膜の絶縁層であり、
　前記２種類のＥＬ蛍光体薄膜は、前記一組の絶縁層のうち前記厚膜の絶縁層ではない絶縁層と接しており、
　前記一組の電極のうち、前記ＥＬ蛍光体薄膜の前記厚膜の絶縁層とは反対側に備えられる電極が透明電極であり、
　前記色変換層が前記透明電極の前記積層体とは反対側に備えられ、
　前記２種類のＥＬ蛍光体薄膜が酸素を含有していてもよいアルカリ土類硫化物またはアルカリ土類酸化物であり、
　前記緑原色または青原色のＥＬ蛍光体薄膜と前記色変換層を組み合わせて赤色発光部が形成されているＥＬパネル。」
と補正された。
　
　本件補正は、本件補正前の請求項１に記載した発明を特定するために必要な事項である「２種類のＥＬ蛍光体薄膜を挟む一組の絶縁層のうち厚膜の絶縁層ではない絶縁層」について「２種類のＥＬ蛍光体薄膜」「と接して」いるとの限定を付加するものであり、この補正は、平成１８年法律第５５号改正附則第３条第１項によりなお従前の例によるとされる同法による改正前の特許法第１７条の２第４項第２号に規定する特許請求の範囲の減縮を目的とする補正に該当する。
　
　そこで、本件補正後の請求項１に係る発明（以下、「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に違反しないか）について検討する。
　
（２）引用例
　原査定の拒絶理由に引用された特開平７−１２２３６４号公報（以下、「引用例１」という。）、及び当審において新たに発見した特開平１１−３０７２４８号公報（以下、「引用例２」という。）には、以下の技術事項が記載されている。
　
ａ．引用例１；
　
　薄膜ＥＬパネルに関するもので、
記載事項ア．【０００１】
「【産業上の利用分野】この発明は、薄型で表示の視認性が優れ、ＯＡ機器等の端末ディスプレイとして最適であり、多色表示薄膜ＥＬパネルへ応用できる薄膜ＥＬ素子の蛍光体薄膜とその製造方法およびそれを用いた薄膜ＥＬパネルに関するものである。」
　
記載事項イ．【００１３】
「【実施例】（第１の実施例）以下に、この発明の第１の実施例について図面を参照しながら説明する。図１はこの発明を適用できる薄膜ＥＬ素子の断面図である。ガラス１上に、錫を添加した酸化インジウム（ＩＴＯ）の透明電極２と、酸窒化珪素（ＳｉＯＮ）の下部絶縁膜３を高周波スパッタ法を用いて順次堆積させてＥＬ素子用の基板４とした。基板４上に、蛍光体薄膜５を６００〜８００ｎｍ形成した。蛍光体薄膜５上に、タンタル酸バリウム（ＢａＴａ２Ｏｘ；ｘは約６）の上部絶縁膜６を高周波スパッタ法を用いて堆積させた後、アルミニウム（Ａｌ）の背面電極７を電子線加熱蒸着法で堆積して、薄膜ＥＬ素子とした。ＩＴＯの透明電極２とＡｌの背面電極７との間に、周波数１ｋＨｚの交流電圧を印加して、薄膜ＥＬ素子を駆動した。」
　
記載事項ウ．【実施例】の項中【００３３】、【００３４】
「【００３３】（第３の実施例）つぎに、ＡＢ２Ｃ４：Ｒｅの構造式で表わされる化合物を主体とする蛍光体薄膜を、複種類有する薄膜ＥＬパネルについて説明する。第３の実施例として、赤色ＳｒＩｎ２Ｓ４：Ｅｕ、緑色ＳｒＧａ２Ｓ４：Ｅｕ、青色ＳｒＧａ２Ｓ４：Ｃｅ蛍光体薄膜を有する多色表示薄膜ＥＬパネルを図７に示す。図７において、ストライプ状に加工した赤色蛍光体薄膜２１、緑色蛍光体薄膜２２、青色蛍光体薄膜２３を基板４上に並列に配置している。
【００３４】透明電極２と下部絶縁層３とが透明であるために、蛍光体薄膜からの赤、緑、青の発光を、ガラス１を通して直接観察することができた。フィルタを用いていないため、また、蛍光体薄膜が同一の製造装置で製造できたために、製造設備と製造工程とを簡略化して、パネルを製造できた。」
　
記載事項エ．【００３６】
「【発明の効果】この発明によれば、フィルタを用いなくとも、赤から青までの、広範囲にわたる多色ＥＬを得ることが可能であり、表示品質の優れる多色薄膜ＥＬ素子を製造できるとともに、多種類の高輝度蛍光体薄膜を、同一の製膜装置で製膜することができ、多色表示薄膜ＥＬパネルの低コスト化も可能であり、実用的価値は大きい。」
　
　上記記載事項の記載内容を総合すると、引用例１には、
「ガラス１上に、透明電極２と透明下部絶縁膜３を順次堆積させてＥＬ素子用の基板４とし、ストライプ状に加工した赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３を基板４上に並列に配置し、各蛍光体薄膜上に上部絶縁膜６を堆積させた後、背面電極７を堆積して製造された薄膜ＥＬパネル。」
の発明（以下、「引用発明」という。）が記載されているといえる。
　
ｂ．引用例２；
　
　電界発光素子の製造方法に関するもので、
記載事項オ．【特許請求の範囲】の項中【請求項１】
「第１色変換膜及び第２色変換膜を有する電界発光素子の製造方法において、
　透明基板上の所定位置に、第１色変換膜をパターン形成する工程と、
　前記透明基板上に、所定の箇所に開口部を有する絶縁膜を形成する工程と、
　前記開口部に、上部が露出するように第２色変換膜を形成する工程と、
　を備えることを特徴とする電界発光素子の製造方法。」
　
記載事項カ．【発明の実施の形態】の項中【００１１】【００１２】
「【００１１】（実施形態１）図１（ａ）〜図３（ｃ）を用いて実施形態１を説明する。まず、図１（ａ）に示すように、ガラス基板１１の上へ格子状にブラックマトリクス１２を形成する。その後所定の波長域の青色光が入射することにより励起され所定の波長域の緑色光を放出するネガ型光感光性材料を被膜し、このネガ型光感光性材料を残す部分を露光した後に現像して、図１（ｂ）に示すように、ネガ型光感光性材料からなる色変換膜（以下、緑色変換膜という）１３を所定の色配列に応じた配列でブラックマトリクス１２の開口部１３を覆うようにパターニング形成する。・・・
【００１２】次に、図１（ｃ）に示すように、表示領域全体に平坦化膜１４を例えばスピンコーティングにより、上記した緑色変換膜１３が完全に埋まるように成膜する。」
　
記載事項キ．同じく【００１３】【００１４】
「【００１３】その後、後記する、青色光が入射することにより励起され赤色光を放出する色変換膜（以下、赤色変換膜という）１５Ａが所定の箇所に配置される部分以外の平坦化膜１４になる合成樹脂材料を露光した後、現像して平坦化膜１４に図２（ａ）に示すような開口部１４Ａを形成する。
【００１４】・・・即ち、フォトリソグラフィー技術を用いて、同図（ｂ）に示すように開口部１４Ａに対応する赤色変換膜１５材料上方にレジストマスク１６を残すようにパターニングし、このレジストマスク１６を用いて露呈する部分の赤色変換膜材料１５をウェットエッチングにより除去する。その結果、図２（ｃ）に示すように、平坦化膜１４の開口部１４Ａから僅かに（２〜３μｍ程度）突出する赤色変換膜１５Ａが形成できる。」
　
記載事項ク．同じく【００１５】、【００１６】
「【００１５】次に、図３（ａ）に示すように、表示領域全体にアクリル系合成樹脂でなる保護膜１７をコーティングする。このとき、赤色変換膜１５Ａの突出寸法は僅かであるため、保護膜１７で覆うことができ、保護膜１７の表面は平坦に形成できる。その後、保護膜１７の上に例えばＩＴＯ（indium tin oxide）やＩｎ２Ｏ３（ＺｎＯ）ｍ（ただし０＜ｍ＜３）などの透明な導電性材料（好ましくは後記する有機ＥＬ層２０に対して正孔注入性の高い導電性材料）でなる前面電極膜１８を、蒸着法やスパッタ法により成膜する。さらに、前面電極膜１８の上に、レジストマスク１９をフォトリソグラフィー技術を用いてパターン形成する。・・・
【００１６】その後、図３（ｃ）に示すように、表示領域全体に有機ＥＬ層２０を成膜し、有機ＥＬ層２０の上に、上記した前面電極１８Ａの行又は列に対応するように、ＭｇＩｎやＡｌＬｉ等の背面電極２１をメタルマスクで蒸着形成する。なお、有機ＥＬ層２０は、前面電極膜１８側から順に、Aluminum-tris(8-hydroxyquinolinate)からなる電子輸送層、９６重量％の4,4'-Bis(2,2-diphenylvinylene)biphenyl及び４重量％の4,4'-Bis((2-carbazole)vinylene)biphenylからなる発光層、N,N'-di(α-naphthyl)-N,N'-diphenyl-1，1'-biphenyl-4，4'-diamineからなる正孔輸送層の３層で構成され、内部に電流が流れることにより青色波長域の光を発する。このようにして、図３（ｃ）に示すような電界発光素子２２を製造することができる。」
　
記載事項ケ．同じく【００１８】
「・・・なお、上記した実施形態１では、有機ＥＬ層２０の発光色を青色に設定したが、これに限定されるものではなく、有機ＥＬ層２０の発光色に応じて、各色変換膜も適宜変更するものであってもよい。さらに、本実施形態では、発光層として有機ＥＬ層２０を用いたが、無機ＥＬ層を用いてもよい。」
　
記載事項コ・【図３】（ｃ）
　【図３】（ｃ）の記載から、赤色変換膜１５Ａを、前面電極１８Ａ電極と背面電極２１のうち透明な前面電極１８Ａ側で有機ＥＬ層２０とは反対側に備えることが読み取れる。
　
（３）対比
　本願補正発明と引用発明とを対比する。
　
（ａ）引用発明の「薄膜ＥＬパネル」は、「赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３」により表示を行うものであり、本願補正発明の「緑原色と、青原色を発光する２種類のＥＬ蛍光体薄膜により３原色表示を行うカラーＥＬパネル」とは「少なくとも２種類のＥＬ蛍光体薄膜により３原色表示を行うカラーＥＬパネル」である点で一致しているといえる。
　
（ｂ）引用発明の「緑色ＳｒＧａ２Ｓ４：Ｅｕ蛍光体薄膜２２」は、本願補正発明の「緑原色」「を発光する」「ＥＬ蛍光体薄膜」に相当し、また、引用発明の「ＳｒＧａ２Ｓ４」は「アルカリ土類硫化物」の一種である。
　引用発明の「青色ＳｒＧａ２Ｓ４：Ｃｅ蛍光体薄膜２３」は、本願補正発明の「青原色を発光する」「ＥＬ蛍光体薄膜」に相当し、また、引用発明の「ＳｒＧａ２Ｓ４」は「アルカリ土類硫化物」の一種である。
　
（ｃ）引用発明の「ガラス１上に、透明電極２と透明下部絶縁膜３を順次堆積させてＥＬ素子用の基板４とし、ストライプ状に加工した赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３を基板４上に並列に配置し、各蛍光体薄膜上に上部絶縁膜６を堆積させた後、背面電極７を堆積して製造された」ものと本願補正発明の「前記２種類のＥＬ蛍光体薄膜とその２種類のＥＬ蛍光体薄膜を挟む一組の絶縁層とを有する積層体と、その積層体を挟む一組の電極と、色変換層と、を備え」たものとは「前記ＥＬ蛍光体薄膜とそのＥＬ蛍光体薄膜を挟む一組の絶縁層とを有する積層体と、その積層体を挟む一組の電極と、を備え」ている点で一致しているといえる。
　また、引用発明の「赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３」は、「透明下部絶縁膜３」及び「上部絶縁膜６」と接していることは明らかであるから、本願補正発明の「前記２種類のＥＬ蛍光体薄膜は、前記一組の絶縁層のうち前記厚膜の絶縁層ではない絶縁層と接して」いることとは「前記ＥＬ蛍光体薄膜は、前記一組の絶縁層のうちの少なくとも一方の絶縁層と接して」いる点で一致しているといえる。
　
（ｄ）引用発明の「透明電極２」は、本願補正発明の「透明電極」に相当し、引用発明の「透明電極２と透明下部絶縁膜３を順次堆積させ」た「基板４上に並列に配置し」た「各蛍光体薄膜上に上部絶縁膜６を堆積させた後、背面電極７を堆積し」た「薄膜ＥＬパネル」と、本願補正発明の「前記一組の電極のうち、前記ＥＬ蛍光体薄膜の前記厚膜の絶縁層とは反対側に備えられる電極が透明電極であ」ることとは「前記一組の電極のうち、一方の電極が透明電極であ」る点で一致しているといえる。
　
　前記（ａ）〜（ｄ）に記載したことからして、本願補正発明と引用発明との両者は、　　　　　　　　　　　　
「少なくとも２種類のＥＬ蛍光体薄膜により３原色表示を行うカラーＥＬパネルであって、前記ＥＬ蛍光体薄膜とそのＥＬ蛍光体薄膜を挟む一組の絶縁層とを有する積層体と、その積層体を挟む一組の電極と、を備え、前記ＥＬ蛍光体薄膜は、前記一組の絶縁層のうちの少なくとも一方の絶縁層と接しており、前記一組の電極のうち、一方の電極が透明電極であり、緑原色と、青原色を発光する２種類のＥＬ蛍光体薄膜がアルカリ土類硫化物であるＥＬパネル。」
である点で一致し、次の相違点が存在する。
　
相違点（Ａ）；
　カラーＥＬパネルが本願補正発明では、（ｉ）緑原色と、青原色を発光する２種類のＥＬ蛍光体薄膜と、色変換層とを備え、緑原色または青原色のＥＬ蛍光体薄膜と色変換層を組み合わせて赤色発光部が形成され、（ii）色変換層が透明電極の積層体とは反対側に備えられているのに対して、引用発明では、赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３により表示を行うものであり、色変換層を備えていない点。
　
相違点（Ｂ）；
　本願補正発明では、（iii）ＥＬ蛍光体薄膜を挟む一組の絶縁層の一方は厚膜の絶縁層であり、ＥＬ蛍光体薄膜は、一組の絶縁層のうち厚膜の絶縁層ではない絶縁層と接しており、（iv）一組の電極のうち、ＥＬ蛍光体薄膜の厚膜の絶縁層とは反対側に備えられる電極が透明電極であるのに対して、引用発明は、ＥＬ蛍光体薄膜を挟む一組の絶縁層の一方は厚膜の絶縁層ではないため、上記（iii）、（iv）の特定事項を備えていない点。
　
（４）当審の判断
　相違点（Ａ）、（Ｂ）について検討する。
　
［相違点（Ａ）について］
　
　相違点（Ａ）の（ｉ）について；
　引用例２には、カラーＥＬパネルの分野において、青原色のＥＬ蛍光体薄膜（青色波長領域の光を発する有機ＥＬ層２０）と色変換層（青色光が入射することにより励起され赤色光を放出する赤色変換膜１５Ａ）を組み合わせて赤色発光部を形成することが記載されており、しかも、引用例２の記載事項ケ．には、「上記した実施形態１では、有機ＥＬ層２０の発光色を青色に設定したが、これに限定されるものではなく、有機ＥＬ層２０の発光色に応じて、各色変換膜も適宜変更するものであってもよい。さらに、本実施形態では、発光層として有機ＥＬ層２０を用いたが、無機ＥＬ層を用いてもよい。」と青原色のＥＬ蛍光体薄膜（青色波長領域の光を発する有機ＥＬ層２０）のＥＬ蛍光体薄膜として無機ＥＬ層を用いてもよいことが示唆されている。
　そして、カラーＥＬパネルの各色の発光部の構成として、公知の発光部の構成を適宜組み合わせることは当業者であれば適宜なし得る設計的事項にすぎないから、引用発明の赤色ＳｒＩｎ２Ｓ４：Ｅｕ蛍光体薄膜２１で赤色発光部を構成するものに代えて、引用例２に記載乃至示唆された、青原色のＥＬ蛍光体薄膜と色変換層を組み合わせて赤色発光部とする構成を採用することは当業者であれば容易になし得ることであり、その際に青原色のＥＬ蛍光体薄膜として引用発明のアルカリ土類硫化物からなる青色ＳｒＧａ２Ｓ４：Ｃｅ蛍光体薄膜２３を用いることは当業者であれば格別困難なくなし得ることである。
　
　相違点（Ａ）の（ii）について；
　引用例２には、色変換層（青色光が入射することにより励起され赤色光を放出する赤色変換膜１５Ａ）を、一組の電極のうち透明電極（透明な導電性材料でなる前面電極１８Ａ）側でＥＬ蛍光体薄膜とは反対側に備えることが記載されており、引用発明に青原色のＥＬ蛍光体薄膜と色変換層を組み合わせて赤色発光部とする構成を採用する際に、色変換層を透明電極側でＥＬ蛍光体薄膜とは反対側に備えるようにすることは当業者であれば容易になし得ることである。
　
　したがって、上記相違点（Ａ）に係る本願補正発明の発明特定事項とすることは当業者であれば容易に想到し得ることである。
　
［相違点（Ｂ）について］
　
　相違点（Ｂ）の（iii）について；
　無機のＥＬパネルの分野において、ＥＬ蛍光体薄膜を挟む一組の絶縁層の一方を厚膜の絶縁層とすることは、周知技術（例えば、特開２００１−２５０６８３号公報の【０００６】〜【０００９】、【図１】、【図２】、及び、特開昭６１−２３０２９４号公報の４ページ左上欄１７行〜右上欄９行、第１図参照）であり、該周知技術を引用発明に適用して、ＥＬ蛍光体薄膜を挟む一組の絶縁層の一方を厚膜の絶縁層とすることは、当業者であれば容易になし得ることである。
　また、上記「２．（３）（ｃ）」で検討したように、引用発明の蛍光体薄膜は、前記一組の絶縁層と接していることは明らかであるから、ＥＬ蛍光体薄膜を挟む一組の絶縁層の一方を厚膜の絶縁層とした際に、ＥＬ蛍光体薄膜は、一組の絶縁層のうち厚膜の絶縁層ではない絶縁層と接することとなる。
　
　相違点（Ｂ）の（iv）について；
　無機のＥＬパネルの分野において、一組の電極のうち、ＥＬ蛍光体薄膜の厚膜の絶縁層とは反対側に備えられる電極を透明電極とすることは、周知技術（例えば、前記特開２００１−２５０６８３号公報の【００２０】、【図１】、及び、特開昭６１−２３０２９４号公報の４ページ左上欄１７行〜右上欄１３行、第１図参照）であり、引用発明において、ＥＬ蛍光体薄膜を挟む一組の絶縁層の一方を厚膜の絶縁層とした際に、一組の電極のうち、ＥＬ蛍光体薄膜の厚膜の絶縁層とは反対側に備えられる電極を透明電極とすることは、該周知技術に基いて当業者が容易になし得ることである。
　
　したがって、上記相違点（Ｂ）に係る本願補正発明の発明特定事項とすることは当業者であれば容易に想到し得ることである。
　
　また、本願補正発明の作用・効果についても、引用発明、引用例２に記載された発明、及び上記周知技術から予測される範囲を逸脱するものとは認めがたい。
　
　したがって、本願補正発明は、引用例１に記載された発明、引用例２に記載された発明及び上記周知技術に基いて当業者が容易に発明をすることができたものであるから、特許法第２９条第２項の規定により特許出願の際独立して特許を受けることができない。
　
（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するものであるから、同法第１５９条第１項において読み替えて準用する同法第５３条第１項の規定により却下すべきものである。
　
３．本願発明について
　
　平成１９年１２月５日付けの手続補正は上記のとおり却下されたので、本願の請求項１に係る発明は、平成１９年３月１９日付けの手続補正により補正された明細書の特許請求の範囲の請求項１に記載された事項により特定される、以下のとおりのものである。（以下、同項記載の発明を「本願発明」という。）
　
「緑原色と、青原色を発光する２種類のＥＬ蛍光体薄膜により３原色表示を行うカラーＥＬパネルであって、
　前記２種類のＥＬ蛍光体薄膜とその２種類のＥＬ蛍光体薄膜を挟む一組の絶縁層とを有する積層体と、その積層体を挟む一組の電極と、色変換層と、を備え、
　前記一組の絶縁層の一方は厚膜の絶縁層であり、
　前記一組の電極のうち、前記ＥＬ蛍光体薄膜の前記厚膜の絶縁層とは反対側に備えられる電極が透明電極であり、
　前記色変換層が前記透明電極の前記積層体とは反対側に備えられ、
　前記２種類のＥＬ蛍光体薄膜が酸素を含有していてもよいアルカリ土類硫化物またはアルカリ土類酸化物であり、
　前記緑原色または青原色のＥＬ蛍光体薄膜と前記色変換層を組み合わせて赤色発光部が形成されているＥＬパネル。」
　
（１）引用例
　原査定の拒絶の理由に引用された特開平７−１２２３６４号公報（以下、「引用例１」という。）、及び同じく特開平１１−３２９７４５号公報（以下、「引用例３」という。）には、以下の技術事項が記載されている。
　
ａ．引用例１；
　
　薄膜ＥＬパネルに関するもので、
記載事項ア．【０００１】
「【産業上の利用分野】この発明は、薄型で表示の視認性が優れ、ＯＡ機器等の端末ディスプレイとして最適であり、多色表示薄膜ＥＬパネルへ応用できる薄膜ＥＬ素子の蛍光体薄膜とその製造方法およびそれを用いた薄膜ＥＬパネルに関するものである。」
　
記載事項イ．【００１３】
「【実施例】（第１の実施例）以下に、この発明の第１の実施例について図面を参照しながら説明する。図１はこの発明を適用できる薄膜ＥＬ素子の断面図である。ガラス１上に、錫を添加した酸化インジウム（ＩＴＯ）の透明電極２と、酸窒化珪素（ＳｉＯＮ）の下部絶縁膜３を高周波スパッタ法を用いて順次堆積させてＥＬ素子用の基板４とした。基板４上に、蛍光体薄膜５を６００〜８００ｎｍ形成した。蛍光体薄膜５上に、タンタル酸バリウム（ＢａＴａ２Ｏｘ；ｘは約６）の上部絶縁膜６を高周波スパッタ法を用いて堆積させた後、アルミニウム（Ａｌ）の背面電極７を電子線加熱蒸着法で堆積して、薄膜ＥＬ素子とした。ＩＴＯの透明電極２とＡｌの背面電極７との間に、周波数１ｋＨｚの交流電圧を印加して、薄膜ＥＬ素子を駆動した。」
　
記載事項ウ．【実施例】の項中【００３３】、【００３４】
「【００３３】（第３の実施例）つぎに、ＡＢ２Ｃ４：Ｒｅの構造式で表わされる化合物を主体とする蛍光体薄膜を、複種類有する薄膜ＥＬパネルについて説明する。第３の実施例として、赤色ＳｒＩｎ２Ｓ４：Ｅｕ、緑色ＳｒＧａ２Ｓ４：Ｅｕ、青色ＳｒＧａ２Ｓ４：Ｃｅ蛍光体薄膜を有する多色表示薄膜ＥＬパネルを図７に示す。図７において、ストライプ状に加工した赤色蛍光体薄膜２１、緑色蛍光体薄膜２２、青色蛍光体薄膜２３を基板４上に並列に配置している。
【００３４】透明電極２と下部絶縁層３とが透明であるために、蛍光体薄膜からの赤、緑、青の発光を、ガラス１を通して直接観察することができた。フィルタを用いていないため、また、蛍光体薄膜が同一の製造装置で製造できたために、製造設備と製造工程とを簡略化して、パネルを製造できた。」
　
記載事項エ．【００３６】
「【発明の効果】この発明によれば、フィルタを用いなくとも、赤から青までの、広範囲にわたる多色ＥＬを得ることが可能であり、表示品質の優れる多色薄膜ＥＬ素子を製造できるとともに、多種類の高輝度蛍光体薄膜を、同一の製膜装置で製膜することができ、多色表示薄膜ＥＬパネルの低コスト化も可能であり、実用的価値は大きい。」
　
　上記記載事項の記載内容を総合すると、引用例１には、
「ガラス１上に、透明電極２と透明下部絶縁膜３を順次堆積させてＥＬ素子用の基板４とし、ストライプ状に加工した赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３を基板４上に並列に配置し、各蛍光体薄膜上に上部絶縁膜６を堆積させた後、背面電極７を堆積して製造された薄膜ＥＬパネル。」
の発明（以下、「引用発明」という。）が記載されているといえる。
　
ｂ．引用例３；
　
　高画質、高信頼性のカラーディスプレイを実現する発光素子及び積層型表示素子に関するもので、
記載事項サ．【実施例】の項中【００５５】〜【００６０】
「【００５５】（実施例６）以上の実施例では一層が各色に対応する三層の発光素子を用いたが必ずしも三層を用いる必要はない。一層で二色の発色を得ることが可能であるならば二層の発光素子でフルカラー画像を表示することも可能がある。
【００５６】以下、本発明の第６の実施形態に係わる発光素子について図６を参照しながら説明する。
【００５７】図６において、６１１は第１のガラス基板である。その表面には縦方向に分割され幅３３０μｍ、ピッチ１ｍｍの形状を有し、緑色を赤色に変換する色変換層６１６が形成されている。更にその表面に縦方向に線状に分割され、正孔を注入するための酸化インジウム錫でなる透明な第１の陽極６１２と陽極の形成された基板表面に一様に形成された、正孔輸送層及び同様に一様に形成された青色を発する有機発光層でなる第１の有機層６１３、更に電子を注入するための縦方向に分割された銀マグネシウム合金でなる幅３３０μｍ、ピッチ１ｍｍの陰極層６１４、更にその表面一様に保護層としての酸化シリコン層６１５が順次形成されている。ここで色変換層６１６と第１陰極重なり合わないように配置されている。
【００５８】また、６２１は第２のガラス基板である。その表面には横方向に線状に分割され、正孔を注入するための酸化インジウム錫でなる透明な第２の陽極６２２と陽極の形成された基板表面に一様に形成された、正孔輸送層及び同様に一様に形成された緑色を発する有機発光層でなる第２の有機層６２３、更に電子を注入するための縦方向に分割された銀マグネシウム合金でなる幅３３０μｍ、ピッチ１ｍｍの第２の陰極層６２４、及びこれに隣接して同様の形状を有する第３の陰極層６２５が形成されている。更にその表面一様に第２保護層としての酸化シリコン層６２６が順次形成されている。
【００５９】第１の陽極６１２と第１の陰極６１４の間に電界を印加すると横方向と縦方向のそれぞれの電極が交差する領域の有機発光層に正孔と電子が注入され、青の発光６４１が生じ、第１の透明基板６１１を通じて観測できる。
【００６０】また第２の陽極６２２と第２の陰極６２４の間に電界を印加すると横方向と縦方向のそれぞれの電極が交差する領域の有機発光層に正孔と電子が注入され、緑の発光が生じ、さらにそれが色変換素子により赤色に変換され観測される。また第２の陽極６２２と第３の陰極６２４の間に電界を印加すると縦方向と横方向のそれぞれの電極が交差する領域の有機発光層に正孔と電子が注入され、緑の発光が生じ第１の発光素子を通過して観測される。」
　
記載事項シ．【図６】
　【図６】の記載から、色変換層６１６を、光を取り出す第１透明電極６１２（あるいは第２透明電極）側で第１有機層（あるいは第２有機層）とは反対側に備えることが読み取れる。
　
（２）対比
　本願発明と引用発明とを対比する。
　
（ａ）引用発明の「薄膜ＥＬパネル」は、「赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３」により表示を行うものであり、本願発明の「緑原色と、青原色を発光する２種類のＥＬ蛍光体薄膜により３原色表示を行うカラーＥＬパネル」とは「少なくとも２種類のＥＬ蛍光体薄膜により３原色表示を行うカラーＥＬパネル」である点で一致しているといえる。
　
（ｂ）引用発明の「緑色ＳｒＧａ２Ｓ４：Ｅｕ蛍光体薄膜２２」は、本願発明の「緑原色」「を発光する」「ＥＬ蛍光体薄膜」に相当し、また、引用発明の「ＳｒＧａ２Ｓ４」は「アルカリ土類硫化物」の一種である。
　引用発明の「青色ＳｒＧａ２Ｓ４：Ｃｅ蛍光体薄膜２３」は、本願発明の「青原色を発光する」「ＥＬ蛍光体薄膜」に相当し、また、引用発明の「ＳｒＧａ２Ｓ４」は「アルカリ土類硫化物」の一種である。
　
（ｃ）引用発明の「ガラス１上に、透明電極２と透明下部絶縁膜３を順次堆積させてＥＬ素子用の基板４とし、ストライプ状に加工した赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３を基板４上に並列に配置し、各蛍光体薄膜上に上部絶縁膜６を堆積させた後、背面電極７を堆積して製造された」ものと本願発明の「前記２種類のＥＬ蛍光体薄膜とその２種類のＥＬ蛍光体薄膜を挟む一組の絶縁層とを有する積層体と、その積層体を挟む一組の電極と、色変換層と、を備え」たものとは「前記ＥＬ蛍光体薄膜とそのＥＬ蛍光体薄膜を挟む一組の絶縁層とを有する積層体と、その積層体を挟む一組の電極と、を備え」ている点で一致しているといえる。
　
（ｄ）引用発明の「透明電極２」は、本願発明の「透明電極」に相当し、引用発明の「透明電極２と透明下部絶縁膜３を順次堆積させ」た「基板４上に並列に配置し」た「各蛍光体薄膜上に上部絶縁膜６を堆積させた後、背面電極７を堆積し」た「薄膜ＥＬパネル」と、本願発明の「前記一組の電極のうち、前記ＥＬ蛍光体薄膜の前記厚膜の絶縁層とは反対側に備えられる電極が透明電極であ」ることとは「前記一組の電極のうち、一方の電極が透明電極であ」る点で一致しているといえる。
　
　前記（ａ）〜（ｄ）に記載したことからして、本願発明と引用発明との両者は、　　　　　　　　　　　　
「少なくとも２種類のＥＬ蛍光体薄膜により３原色表示を行うカラーＥＬパネルであって、前記ＥＬ蛍光体薄膜とそのＥＬ蛍光体薄膜を挟む一組の絶縁層とを有する積層体と、その積層体を挟む一組の電極と、を備え、前記一組の電極のうち、一方の電極が透明電極であり、緑原色と、青原色を発光する２種類のＥＬ蛍光体薄膜がアルカリ土類硫化物であるＥＬパネル。」
である点で一致し、次の相違点が存在する。
　
相違点（Ａ）；
　カラーＥＬパネルが、本願発明では、（ｉ）緑原色と、青原色を発光する２種類のＥＬ蛍光体薄膜と、色変換層とを備え、緑原色または青原色のＥＬ蛍光体薄膜と色変換層を組み合わせて赤色発光部が形成され、（ii）色変換層が透明電極の積層体とは反対側に備えられているのに対して、引用発明では、赤色ＳｒＩｎ２Ｓ４：Ｅｕ蛍光体薄膜２１、緑色ＳｒＧａ２Ｓ４：Ｅｕ蛍光体薄膜２２、青色ＳｒＧａ２Ｓ４：Ｃｅ蛍光体薄膜２３により表示を行うものであり、色変換層を備えていない点、。
　
相違点（Ｂ）；
　本願発明は、（iii）ＥＬ蛍光体薄膜を挟む一組の絶縁層の一方は厚膜の絶縁層であり、（iv）一組の電極のうち、ＥＬ蛍光体薄膜の厚膜の絶縁層とは反対側に備えられる電極が透明電極であるのに対して、引用発明は、ＥＬ蛍光体薄膜を挟む一組の絶縁層の一方は厚膜の絶縁層ではないため、上記（iii）、（iv）の特定事項を備えていない点。
　
（３）当審の判断
　相違点（Ａ）、（Ｂ）について検討する。
　
　相違点（Ａ）の（ｉ）について；
　引用例３には、カラーＥＬパネルの分野において、緑原色のＥＬ蛍光体薄膜（緑色を発する有機発光層でなる第２の有機層６２３）と色変換層（緑色を赤色に変換する色変換層６１６）を組み合わせて赤色発光部を形成することが記載されており、引用例３に記載されたＥＬ蛍光体薄膜は有機の発光層ではあるが、有機の発光層に代えて無機の発光層を使用し得ない特段の事情があるとは認められない。
　そして、カラーＥＬパネルの各色の発光部の構成として、公知の発光部の構成を適宜組み合わせることは当業者であれば適宜なし得る設計的事項にすぎないから、引用発明の赤色ＳｒＩｎ２Ｓ４：Ｅｕ蛍光体薄膜２１で赤色発光部を構成するものに代えて、引用例３に記載された、緑原色のＥＬ蛍光体薄膜と色変換層を組み合わせて赤色発光部とする構成を採用することは当業者であれば容易になし得ることであり、その際に緑原色のＥＬ蛍光体薄膜として引用発明のアルカリ土類硫化物からなる緑色ＳｒＧａ２Ｓ４：Ｅｕ蛍光体薄膜２２を用いることは当業者であれば格別困難なくなし得ることである。
　
　相違点（Ａ）の（ii）について；
　引用例３には、色変換層を、光を取り出す透明電極側でＥＬ蛍光体薄膜とは反対側に備えることが記載されており、引用発明に緑原色のＥＬ蛍光体薄膜と色変換層を組み合わせて赤色発光部とする構成を採用する際に、色変換層を透明電極側でＥＬ蛍光体薄膜とは反対側に備えるようにすることは当業者であれば容易になし得ることである。
　
　したがって、上記相違点（Ａ）に係る本願発明の発明特定事項とすることは当業者であれば容易に想到し得ることである。
　
［相違点（Ｂ）について］
　
　相違点（Ｂ）の（iii）について；
　無機のＥＬパネルの分野において、ＥＬ蛍光体薄膜を挟む一組の絶縁層の一方を厚膜の絶縁層とすることは、周知技術（例えば、特開２００１−２５０６８３号公報の【０００６】〜【０００９】、【図１】、【図２】、及び、特開昭６１−２３０２９４号公報の４ページ左上欄１７行〜右上欄９行、第１図参照）であり、該周知技術を引用発明に適用して、ＥＬ蛍光体薄膜を挟む一組の絶縁層の一方を厚膜の絶縁層とすることは、当業者であれば容易になし得ることである。
　
　相違点（Ｂ）の（iv）について；
　無機のＥＬパネルの分野において、一組の電極のうち、ＥＬ蛍光体薄膜の厚膜の絶縁層とは反対側に備えられる電極を透明電極とすることは、周知技術（例えば、前記特開２００１−２５０６８３号公報の【００２０】、【図１】、及び、特開昭６１−２３０２９４号公報の４ページ左上欄１７行〜右上欄１３行、第１図参照）であり、引用発明において、ＥＬ蛍光体薄膜を挟む一組の絶縁層の一方を厚膜の絶縁層とした際に、一組の電極のうち、ＥＬ蛍光体薄膜の厚膜の絶縁層とは反対側に備えられる電極を透明電極とすることは、該周知技術に基いて当業者が容易になし得ることである。
　
　したがって、上記相違点（Ｂ）に係る本願発明の発明特定事項とすることは当業者であれば容易に想到し得ることである。
　
　また、本願発明の作用・効果についても、引用発明、引用例３に記載された発明及び上記周知技術から予測される範囲を逸脱するものとは認めがたい。
　
　したがって、本願発明は、引用例１に記載された発明、引用例３に記載された発明、及び上記周知技術に基いて当業者が容易に発明をすることができたものである。
　
（４）むすび
　以上のとおり、本願発明は、引用例１に記載された発明、引用例３に記載された発明、及び上記周知技術に基いて当業者が容易に発明をすることができたものであるから、特許法第２９条第２項の規定により特許を受けることができない。
　よって、結論のとおり審決する。